(57)【要約】【課題】テレビ受信機において、ユーザーに大きな負担を強いることなく、簡単な方法で、短時間に、確実な、選局対象の設定を行うことを目的とする。【解決手段】記憶部１２と、判定機能と、ＯＳＤ生成部１３とを有するテレビ受信機であって、テレビ受信機において、選局されたチャンネルが記憶部１２に選局対象とするか否かの設定が記憶されておらず、かつ、判定機能により視聴不可と判断された場合には、ユーザーに対して選局対象とするか否かの設定を促すダイアログ５０をＯＳＤ生成部１３により表示し、チャンネルアップキー又はチャンネルダウンキーが押されることにより選局対象としない設定を行い、Ｅｎｔｅｒ（決定）キーが押されることにより選局対象とする設定を行うことにより上記目的を達成する。【選択図】図３
2008060718.tif 000002
【特許請求の範囲】
【請求項１】
受信できる各チャンネルを選局対象とするか否かの設定を記憶する記憶機能と、選局されたチャンネルの視聴可否を判定する判定機能と、設定の内容を表示できる表示機能とを有するテレビ受信機であって、
選局されたチャンネルが前記記憶機能に選局対象とするか否かの設定が記憶されておらず、かつ、前記判定機能により視聴不可と判断された場合には、選局対象とするか否かの設定を促すダイアログを前記表示機能により表示することを特徴とするテレビ受信機。
【請求項２】
請求項１に記載のテレビ受信機において、前記表示機能は、ＯＳＤによる機能であることを特徴とするテレビ受信機。
【請求項３】
請求項１又は請求項２に記載のテレビ受信機において、前記表示機能により設定を促すダイアログを表示した時に、第一のボタンが押されることにより選局対象としない設定を行うことを特徴とするテレビ受信機。
【請求項４】
請求項３に記載のテレビ受信機において、前記第一のボタンは、チャンネルアップキー又はチャンネルダウンキーであることを特徴とするテレビ受信機。
【請求項５】
請求項１又は請求項２に記載のテレビ受信機において、前記表示機能により設定を促すダイアログを表示した時に、当該選局されたチャンネル以外の別のチャンネルを選局する操作が行われた場合、選局されていたチャンネルは選局対象としない設定を行うことを特徴とするテレビ受信機。
【請求項６】
請求項１乃至請求項５のいずれか一項に記載のテレビ受信機において、前記表示機能により設定を促すダイアログを表示した時に、第二のボタンが押されることにより選局対象とする設定を行うことを特徴とするテレビ受信機。
【請求項７】
請求項６に記載のテレビ受信機において、前記第二のボタンは、Ｅｎｔｅｒキー又は決定キーであることを特徴とするテレビ受信機。
【請求項８】
請求項１乃至請求項７のいずれか一項に記載のテレビ受信機において、選局されたチャンネルが前記記憶機能に選局対象とするか否かの設定が記憶されておらず、かつ、前記判定機能により視聴可能と判断された場合には、選局対象とする設定を行うことを特徴とするテレビ受信機。
【発明の詳細な説明】
【技術分野】
【０００１】
本発明は、テレビ受信機に関し、特に、簡単な方法で、短時間に、確実な、選局対象の設定を行うテレビ受信機に関する。
【背景技術】
【０００２】
現在市販されているテレビ受信機において、テレビ受信機の仕様として受信可能な全てのチャンネルの中からユーザーが所望のチャンネルのみを選局対象として設定する方法としては、メニューなどからユーザーが各チャンネルに対して個別に設定を行う方法が一般的である。また、受信対象となる全てのチャンネルの中から、実際に受信可能なチャンネルをある程度絞り込む方法としては、地域毎に割り当てられた番号によるチャンネル一覧のプリセットを利用する方法やチャンネルサーチを行う方法が一般的であるが、全局ＳＩ方式を採用したデジタル放送やＯＯＢ（Ｏｕｔ  Ｏｆ  Ｂａｎｄ）を利用するケーブルテレビ放送などでは受信可能なチャンネル一覧の取得にチャンネルサーチが必要ない場合もある。
【０００３】
都市型ケーブルテレビやデジタル放送の普及による多チャンネル化に伴い、ユーザーが選局対象の設定を行わなければならないチャンネル数は増加の一途をたどっている。また、そうしたチャンネルは別途契約が必要なスクランブルのかかったプレミアムチャンネルであることが多く、多チャンネル化すればするほど、その結果として受信可能なチャンネル一覧にはスクランブルにより選局はできても視聴できないチャンネルが多数存在することとなり、ユーザーがそうしたチャンネルをメニューから全て除外する作業はユーザーにとって大きな負担となっている。
【０００４】
そうした中、特許文献１ではユーザーによるメニューからの設定の負担を軽減すべくチャンネルサーチ時に取得した静止画を表示して、ユーザーが選局対象とするチャンネルの設定行う際の判断を補助する技術が記載されている。また、特許文献２ではプリセットされたチャンネル一覧の受信状態を監視し、受信できないチャンネルを自動的に受信対象のチャンネルから削除する技術が記載されている。同様の方法としてチャンネルサーチ時に視聴の可否まで自動的に判定してしまうことも可能である。
【特許文献１】特開２００５−２１０５４６号公報
【特許文献２】特開２００１−１６８６８４号公報
【発明の開示】
【発明が解決しようとする課題】
【０００５】
上述した特許文献１の例では、メニューでの操作性を多少改善することはできるが、ユーザーがメニューから全てのチャンネルについて選局対象設定を行わなければいけないという状況に変わりはないという課題がある。
【０００６】
上述した特許文献２の例や、チャンネルサーチ時に視聴の可否まで判定する例では、放送時間により視聴可否が変化することなどから自動判定結果が必ずしもユーザーの意図と合致するとは限らず、また、自動判定を行うとチャンネルサーチ時間が大幅に増加してしまうという課題がある。
【０００７】
本発明は、上述のごとき実情に鑑みてなされたものであり、ユーザーに大きな負担を強いることなく、簡単な方法で、短時間に、確実な、選局対象の設定を行えることを目的とする。
【課題を解決するための手段】
【０００８】
上記目的を達成するため、本発明のテレビ受信機は、受信できる各チャンネルを選局対象とするか否かの設定を記憶する記憶機能と、選局されたチャンネルの視聴可否を判定する判定機能と、設定の内容を表示できる表示機能とを有するテレビ受信機であって、選局されたチャンネルが前記記憶機能に選局対象とするか否かの設定が記憶されておらず、かつ、前記判定機能により視聴不可と判断された場合には、選局対象とするか否かの設定を促すダイアログを前記表示機能により表示することを特徴とする。
【０００９】
さらに、本発明のテレビ受信機は、前記表示機能は、ＯＳＤによる機能であることを特徴とする。さらに、本発明のテレビ受信機は、前記表示機能により設定を促すダイアログを表示した時に、第一のボタンが押されることにより選局対象としない設定を行うことを特徴とする。さらに、本発明のテレビ受信機は、前記第一のボタンは、チャンネルアップキー又はチャンネルダウンキーであることを特徴とする。さらに、本発明のテレビ受信機は、前記表示機能により設定を促すダイアログを表示した時に、当該選局されたチャンネル以外の別のチャンネルを選局する操作が行われた場合、選局されていたチャンネルは選局対象としない設定を行うことを特徴とする。さらに、本発明のテレビ受信機は、前記表示機能により設定を促すダイアログを表示した時に、第二のボタンが押されることにより選局対象とする設定を行うことを特徴とする。さらに、本発明のテレビ受信機は、前記第二のボタンは、Ｅｎｔｅｒキー又は決定キーであることを特徴とする。さらに、本発明のテレビ受信機は、選局されたチャンネルが前記記憶機能に選局対象とするか否かの設定が記憶されておらず、かつ、前記判定機能により視聴可能と判断された場合には、選局対象とする設定を行うことを特徴とする。
【発明の効果】
【００１０】
本発明によれば、テレビ受信機において、簡単な方法で、短時間に、確実な、選局対象の設定を行うことができる。
【発明を実施するための最良の形態】
【００１１】
本発明を実施するための最良の形態を説明する。
【００１２】
図１は、本発明の一実施形態に係るテレビ受信機の構成例を示す図である。図中、１０はテレビ受信機であり、１４は受光部、１５は操作部、１６は音声出力部、１９は映像表示部、５０はＯＳＤ（Ｏｎ  Ｓｃｒｅｅｎ  Ｄｉｓｐｌａｙ）によるダイアログ表示を示す。更に図中、３０はリモコン装置であり、３１は発光部、３２はチャンネルアップ及びダウンボタン、３３はＥｎｔｅｒ（決定）ボタン、３４はテンキー部を示す。
【００１３】
図２は、本発明の一実施形態に係るテレビ受信機の機能ブロック図である。図中、１１は制御部、１２は記憶部、１３はＯＳＤ生成部、１４は受光部、１５は操作部、１６はチューナー部、１７はデコード部、１８は音声出力部、１９は映像表示部を示す。図１及び図２の例はテレビ受信機とリモコン装置として一般的なものを示すことを意図しているが、各メーカーや製品によりその構成に多少の違いが出てくることは当然想定される。
【００１４】
図３は、本発明の一実施形態に係るテレビ受信機の動作例を説明するためのフロー図、図４は、本発明の一実施形態に係るテレビ受信機のＯＳＤによるダイアログ表示例である。
【００１５】
図５は、本発明の一実施形態に係るテレビ受信機の選局対象設定の記憶状態の遷移を示す例である。今後の説明において各チャンネルの選局対象設定は図５のチャンネル視聴可否情報６０の例に基づいて行われるが、各チャンネルの視聴可否は基本的に各チャンネルを選局した時点で判定されるため、本発明のテレビ受信機において最終的に全てのチャンネルの視聴可否が判明するのは、全てのチャンネルの選局対象設定が終わった時点である。ただし、限定受信システムを採用している放送においては、事前に各チャンネルの契約情報が得られる場合もあるため、各チャンネルの視聴可否がある程度事前に判明していることもある。
【００１６】
選局対象設定の情報は、具体的にはテレビ受信機１０の記憶部１２に保存され、図５では、選局対象設定  初期状態６１から始まり、選局対象設定  設定中６２を経て選局対象設定  設定完了６３にて設定が完了する例となっている。
【００１７】
図６は、本発明の一実施形態に係るテレビ受信機の一連の処理の推移を示した図である。
【００１８】
続いて、本発明のテレビ受信機のチャンネル設定の動作例を図３のフロー図に沿って説明する。本発明のテレビ受信機１０におけるチャンネル設定は、一般的なテレビ受信機における一連の選局処理の途中に追加する形で実行される。
【００１９】
選局対象となるチャンネル番号を一般的なチャンネル番号にならい、３桁だと仮定すると１〜９９９チャンネルまで９９９個のチャンネルがユーザーにより選局される可能性がある。この状態からでも本発明による選局対象設定は適用可能ではあるが、説明を短縮するため初期状態としては前述したチャンネルサーチやチャンネルプリセットなどの各種手段により、受信可能なチャンネルの一覧が既にある程度絞り込まれ、図５の選局対象設定初期状態６１の例の状態になっているものとする。この例では、受信可能なチャンネルの一覧としてはチャンネルが２〜７７７チャンネルまで合計１６チャンネルに絞り込まれているが、全てのチャンネルについてまだユーザーによる選局対象設定が行われていない状態である。ユーザーが最初に選局するチャンネルについて特に制限はないが、先頭の２チャンネルから選局を始めるものとして説明を開始する。
【００２０】
まず、ユーザーがリモコン装置３０やテレビ受信機１０の操作部１５を通して所望のチャンネルを選局する。テレビ受信機１０は、受光部１４や操作部１５を通してユーザーから指定された情報を元に、チューナー部１６に対する周波数や変調方式などの設定や、チューナー部１６からデコード部１７に入力された信号に対してデコード部１７でのデコードを開始するといった選局処理を実行する（ステップＳ１０１）。
【００２１】
次に、テレビ受信機１０は、記憶部１２に保存された選局対象設定の内容を検索し、選局したチャンネルが選局対象として設定済か否かを確認する（ステップＳ１０２）。既に設定されていれば処理を終了し、設定されていなければ次のステップ（ステップＳ１０３）に進む。
【００２２】
次に、テレビ受信機１０は、デコード部１７から選局状態の情報を取得し、選局されたチャンネルが視聴可能か否かを判定する（ステップＳ１０３）。視聴可否の判定方法には、デジタル放送であれば受信したテーブルの記述子を確認する方法や、デコーダのステータスを確認する方法、アナログ放送であれば映像の同期を確認する方法などがあるが一般的なものであるため、ここでは言及しない。視聴可能であれば、自動的に選局対象として設定して記憶部１２にその情報を保存し（ステップＳ１０９）、処理を終了する。この場合には通常の選局処理が終了するため、この時点でユーザーは選局したチャンネルの番組を映像表示部１９及び音声出力部１８を通してそのまま視聴することとなる。視聴不可であれば次のステップ（ステップＳ１０４）に進む。
【００２３】
次に、テレビ受信機１０は、ユーザーに対してその選局したチャンネルを選局対象とするか否かの判断を促すダイアログをＯＳＤ生成部１３により生成し、映像表示部１９でＯＳＤとして表示する（ステップＳ１０４）。図４は、この時に表示するダイアログの例であり、選局したチャンネルが視聴できなかったことを表示し、併せて、チャンネルアップボタンもしくはダウンボタンによる他のチャンネルへの選局で視聴できなかったチャンネルを選局対象からの除外するよう設定すること、また、Ｅｎｔｅｒ（決定）ボタンで選局対象からの除外しないよう設定することを表示している。
【００２４】
ユーザーはダイアログ５０の表示に従い、リモコン装置３０やテレビ受信機１０の操作部１５を通して所望の選局対象の設定操作を行う（ステップＳ１０５）。テレビ受信機１０は、ユーザーの操作を確認する（ステップＳ１０６）。ユーザーの操作がダイアログ５０で表示されたチャンネルアップ・ダウンボタンによる他のチャンネルへの選局もしくは、Ｅｎｔｅｒ（決定）ボタンであった場合には次のステップ（ステップＳ１０７）に進み、そうでなかった場合には処理を終了する。
【００２５】
続いてテレビ受信機１０は、ユーザーの操作がチャンネルアップ・ダウンボタンとＥｎｔｅｒ（決定）ボタンのどちらであったかを確認する（ステップＳ１０７）。チャンネルアップ・ダウンボタンであった場合には、テレビ受信機１０は、そのチャンネルを選局対象から除外するよう設定して記憶部１２にその情報を保存する（ステップＳ１０８）。そうでなかった場合には、ユーザーの操作はＥｎｔｅｒ（決定）ボタンだったので、テレビ受信機１０は、そのチャンネルを選局対象から除外しないよう設定して記憶部１２にその情報を保存する（ステップＳ１０９）。以上で本発明のテレビ受信機におけるチャンネル設定手法の処理は終了する。
【００２６】
このチャンネル設定手法の処理をユーザーが先頭のチャンネルである２チャンネルから順に各チャンネルをチャンネルアップボタンにより選局を行う度に実行していくと、まず２〜７１チャンネルは視聴可能なため自動的に選局対象として設定される。続く７２チャンネルの選局時に初めて視聴不可と判定されるためユーザーに対して設定を促すダイアログ５０が表示され、ユーザーは所望の設定をリモコン装置３０やテレビ受信機１０の操作部１５を通して行うこととなる。通常は視聴不可のチャンネルを選局対象とすることはないので、そのまま次の１００チャンネルにチャンネルアップボタンにより選局を行うため、その操作だけで７２チャンネルは自動的に選局対象から除外するよう設定される。この時点で記憶部１２に保存されている選局対象設定の状態が図５の選局対象設定  設定中６２である。
【００２７】
放送の時間帯によって、万が一ユーザーが所望する選局対象設定と視聴不可の判定とが合致しなかった場合でも、ダイアログ５０からＥｎｔｅｒ（決定）ボタン３３を押して選局対象から除外されることを回避できるよう配慮されているため、ユーザーは確実に所望の選局対象設定を実現することが可能である。
【００２８】
更に、１００チャンネル以降のチャンネルを順次チャンネルアップボタンにより選局していくことにより、残り１００〜７７７の各チャンネルについても同様の処理が実行され、７７７チャンネルから先頭の２チャンネルに戻り、受信できるチャンネル一覧を一周しただけで全てのチャンネルが視聴可・不可の判定に従って自動的に選局対象として設定もしくは除外されることとなる。
【００２９】
上述した一連の処理の推移を示したのが図６である。この図では、ユーザーが各チャンネルを順次チャンネルアップボタンで選局し、選局されたチャンネルについて視聴可・不可の判定が実行され、必要に応じてダイアログを表示し、その結果に応じて選局対象設定が行われていくことにより、受信できるチャンネル一覧上のチャンネル全てに対して適切な選局対象設定が自動的に実行される様子が示されている。
【００３０】
この時点で記憶部１２に保存されている選局対象設定の状態は図５の選局対象設定  設定完了６３となる。この後は、図３のフローの説明中にあるように、ステップＳ１０２の判定により、既に設定済のチャンネルをユーザーが再び選局した場合に、そのチャンネルに対して設定を促すダイアログ５０が再度表示されることはない。
【００３１】
以上の動作により、本発明のテレビ受信機１０は、チャンネルアップ及びダウンボタン、Ｅｎｔｅｒ（決定）ボタンなどの簡単なリモコン操作のみで、短時間にユーザーの意図した通りの確実なチャンネル視聴可否の設定を行うことが可能となる。
【００３２】
チャンネルアップボタンだけでなくチャンネルダウンボタンを使って連続して選局を行った場合やアップとダウンが混在させた場合、テンキー部３４を利用してチャンネル番号のダイレクト選局を行った場合でも本発明によるチャンネル設定の処理は同様に利用可能である。この他、ダイヤル等の方式によりチャンネルの選局を行える場合も本発明によるチャンネル設定の処理は同様に利用可能である。
【００３３】
テレビ受信機を設置して最初に行うのは、チャンネルアップもしくはダウンボタンを連続して操作してどのチャンネルを視聴できるか確認することである可能性が極めて高い。特にテレビ受信機が多チャンネルを受信できる環境に設置されたのであればユーザーの心情としては尚更である。そのため、本発明によるチャンネル設定手法は極めて有効に作用すると期待できる。
【００３４】
さらに、本発明のテレビ受信機はチャンネルサーチ時に視聴可否を判定する必要がないのでチャンネルサーチを行う場合でもチャンネルサーチを短時間で済ませることができる。
【図面の簡単な説明】
【００３５】
【図１】本発明の一実施形態に係るテレビ受信機の構成例である。
【図２】本発明の一実施形態に係るテレビ受信機の機能ブロック図である。
【図３】本発明の一実施形態に係るテレビ受信機の動作例を説明するためのフロー図である。
【図４】本発明の一実施形態に係るテレビ受信機のＯＳＤによるダイアログ表示例である。
【図５】本発明の一実施形態に係るテレビ受信機の選局対象設定の記憶状態の遷移を示す例である。
【図６】本発明の一実施形態に係るテレビ受信機の一連の処理の推移を示した図である。
【符号の説明】
【００３６】
１０  テレビ受信機
１１  制御部
１２  記憶部
１３  ＯＳＤ生成部
１４  受光部
１５  操作部
１６  チューナー部
１７  デコード部
１８  音声出力部
１９  映像表示部
３０  リモコン装置
３１  発光部
３２  チャンネルアップ・ダウンボタン
３３  ＥＮＴＥＲ（決定）ボタン
３３  テンキー部
５０  ＯＳＤによるダイアログ表示
６０  チャンネル視聴可否情報
６１  選局対象設定  初期状態
６２  選局対象設定  設定中
６３  選局対象設定  設定完了
【図１】
2008060718.tif 000003
【図２】
2008060718.tif 000004
【図３】
2008060718.tif 000005
【図４】
2008060718.tif 000006
【図５】
2008060718.tif 000007
【図６】
2008060718.tif 000008